(57)【要約】【課題】  生き餌の負担とならない生き餌かごを市販に提供しようとする。【解決手段】  かご体と、内部に生き餌を収容する生き餌収容体からなり、かご体は合成樹脂製の筒体で、上部は開放されて上記生き餌収容体が出入りするものとなし、底部は錘を兼ねた金属片で閉じられ、側面と底部に複数の穴及び底部に底部挿通孔が設けられており、上記生き餌収容体は上記かご体の内径より小さい径の筒体で且つ上記かご体上部の内径を上記生き餌収納体の底部の外径より小さくなして上記生き餌収容体が抜け出ないものとし、上記生き餌収容体は上筒部、下筒部とその中間の半筒部からなり、上記上筒部内には発泡体が設けられ、該発泡体の縦方向に上部挿通孔が設けられ、上記下筒部の底部は網状となした。【選択図】      図９
0003130170.tif 000002
【実用新案登録請求の範囲】
【請求項１】
かご体と、内部に生き餌を収容する生き餌収容体からなり、かご体は合成樹脂製の筒体で、上部は開放されて上記生き餌収容体が出入りするものとなし、底部は錘を兼ねた金属片で閉じられ、側面と底部に複数の穴及び底部に底部挿通孔が設けられており、上記生き餌収容体は上記かご体の内径より小さい径の筒体で且つ上記かご体上部の内径を上記生き餌収納体の底部の外径より小さくなして上記生き餌収容体が抜け出ないものとし、上記生き餌収容体は上筒部、下筒部とその中間の半筒部からなり、上記上筒部内には発泡体が設けられ、該発泡体の縦方向に上部挿通孔が設けられ、上記下筒部の底部は網状となし、底部挿通孔から上部挿通孔へ釣り糸を通すことができることを特徴とする生き餌かご。
【請求項２】
上記半筒部の途中で半筒上部と半筒下部に分断し、上記半筒上部の下端部に転子を設け、上記半筒下部に摺動穴を設け、上記転子が上記摺動穴内を摺動可能に係合されており、上記生き餌収容体の長さを伸縮可能になしてあり、上記半筒上部には、押さえ板がバネを介して固定され、上記押さえ板の上記バネ取付け側には糸通し管が設けられ、該糸通し管の上部は上記上部挿通孔まで延びると共に上記上部挿通孔の入り口付近に於いて蛇腹状となすことを特徴とする請求項１記載の生き餌かご。
【考案の詳細な説明】
【技術分野】
【０００１】
本考案は、生き餌で魚を釣るための生き餌かごに関する。
【背景技術】
【０００２】
従来、釣り針に生きた魚を掛けて、その生き餌を泳がせて魚を釣る方法があり、その生き餌を掛けた竿を振り出すさい、生き餌を保護すると共にねらい通りの場所に飛ばすために、生き餌を入れる容器が考えられている（特許文献１，２参照）。これらは釣り糸の途中に固定して取り付けられており、生き餌が海に投げ入れられ、水中を泳ぐ時にその容器を引っ張ることとなり、生き餌の負担となる。
【特許文献１】登録実用新案第３０５５１７０号公報
【特許文献２】登録実用新案第３１２６７２７号公報
【考案の開示】
【考案が解決しようとする課題】
【０００３】
本考案は、かかる問題点を解決するものであって、生き餌の負担とならない生き餌かごを市販に提供しようとするものである。
【課題を解決するための手段】
【０００４】
本考案に係る生き餌かごは、かご体と、内部に生き餌を収容する生き餌収容体からなり、かご体は合成樹脂製の筒体で、上部は開放されて上記生き餌収容体が出入りするものとなし、底部は錘を兼ねた金属片で閉じられ、側面と底部に複数の穴及び底部に底部挿通孔が設けられており、上記生き餌収容体は上記かご体の内径より小さい径の筒体で且つ上記かご体上部の内径を上記生き餌収納体の底部の外径より小さくなして上記生き餌収容体が抜け出ないものとし、上記生き餌収容体は上筒部、下筒部とその中間の半筒部からなり、上記上筒部内には発泡体が設けられ、該発泡体の縦方向に上部挿通孔が設けられ、上記下筒部の底部は網状となし、底部挿通孔から上部挿通孔へ釣り糸を通すことができることを特徴とする。
【０００５】
上記半筒部の途中で半筒上部と半筒下部に分断し、上記半筒上部の下端部に転子を設け、上記半筒下部に摺動穴を設け、上記転子が上記摺動穴内を摺動可能に係合されており、上記生き餌収容体の長さを伸縮可能になしてあり、上記半筒上部には、押さえ板がバネを介して固定され、上記押さえ板の上記バネ取付け側には糸通し管が設けられ、該糸通し管の上部は上記上部挿通孔まで延びると共に上記上部挿通孔の入り口付近に於いて蛇腹状となす。
【考案の効果】
【０００６】
本考案は以上の通り構成するものであって、生き餌かごに釣り糸を通し、下方の釣り糸にシモリ玉、よりもどしなどをつけ、糸を引いて生き餌かごがシモリ玉及びよりもどしの位置で止まった状態とし、釣り糸の先端に取付けた釣り針で生き餌を掛け、その生き餌を生き餌収容体内に収容し、該生き餌収容体をかご体に入れることにより、生き餌かご内に生き餌が確実に収納され、竿を振り出してから着水までの衝撃から守ることができる。その後生き餌収容体の上部に設けられた発泡体により生き餌かごは水面に浮き、かご体は金属片の重みにより下方へ下がって、生き餌かごが開き、生き餌が中から出て自由に泳ぐことができる。その際、生き餌かごが釣り糸に固定されていないので、生き餌かごが生き餌の負担となることがないのである。
【０００７】
生き餌収容体の長さを伸縮可能になしたことは、生き餌の大きさにより生き餌収容体の長さを調節できるものとなる。押さえ板がバネを介して固定されたことは、バネの伸縮により押さえ板が生き餌を押さえるので、生き餌が暴れて傷つくのを防ぐことができるものとなる。生き餌かご内に糸通し管が設けられ、該糸通し管に釣り糸を通して使用することにより、糸が絡むことがないのである。
【考案を実施するための最良の形態】
【０００８】
以下、図面に示す実施の形態について説明する。 
図１は本考案に係る生き餌かごの斜視図、図２は図１のＡ−Ａ線断面図、図３は図１のＢ−Ｂ線断面図、図４は図１のＣ−Ｃ線断面図、図５〜図６は生き餌収容体３の部分のみを表した図面で、図５は生き餌収容体の正面図、図６は図５の背面図、図７は図５のＤ−Ｄ線断面図である。本考案に係る釣り用浮き１は、かご体２と、内部に生き餌を収容する生き餌収容体３からなる。
【０００９】
かご体２は、長さ寸法Ｌ１が１２ｃｍ〜１８ｃｍの合成樹脂製の筒体で、上部２ａは開放され、生き餌収容体３の出入り口となり、底部２ｃは錘を兼ねた金属片４で閉じられている。側面２ｂに複数の穴２ｄが設けられ、金属片４に複数の穴４ａが設けられており、これらの穴２ｄ、４ａ及び底部２ｃの金属片４で閉じられた以外の箇所は水の出入り口となる。さらに金属片４に底部挿通孔４ｂが設けられており、該底部挿通孔４ｂの大きさはシモリ玉の通らないものとする。
【００１０】
生き餌収容体３は上記かご体２の内径より小さい径の筒体で、かご体２内に収納され、かご体２の上部から出入りするものとなるが、かご体上部２ａの内径Ｒ１を生き餌収納体の底部３ｄの外径Ｒ２より小さくなしてあり、生き餌収容体３が抜け出ないものとなしてある。そして、生き餌収容体３は上筒部３ａ、下筒部３ｂと、その中間に於いて筒を縦割りにした半筒部３ｃからなり、上筒部３ａの長さ寸法Ｌ２は３ｃｍ〜６ｃｍ程度、下筒部３ｂの長さ寸法Ｌ３が１ｃｍ〜３ｃｍ程度である。
【００１１】
上記上筒部３ａ内には発泡体７が設けられ、該発泡体７により生き餌かご１が水面に浮くものとなる。また、該発泡体７の縦方向に上部挿通孔８が設けられており、後述する糸通し管１１が上部挿通孔８内を出入りするものとなる。
【００１２】
上記半筒部３ｃの途中で半筒上部３ｄと半筒下部３ｅに分断されており、半筒上部３ｄの下端部に転子５を設け、半筒下部３ｅに摺動穴６を設け、転子５が摺動穴６内を摺動可能に係合され、生き餌収容体３の長さを伸縮可能になしてある。これにより生き餌の大きさにより生き餌収容体３の長さを調節できるものとなる。なお、図５〜図７では生き餌収容体３の長さを伸ばした状態を示してある。
【００１３】
半筒上部３ｄには、押さえ板９がバネ１０、１０を介して固定されている。該押さえ板９はバネの伸縮により生き餌を押さえるものとなる。
【００１４】
また押さえ板９のバネ取付け側には糸通し管１１が設けられ、該糸通し管１１の上部は上記上部挿通孔８まで延びており、上部挿通孔８の入り口付近８ａに於いては蛇腹状となした蛇腹部１１ａが形成されている。これにより、上述の通り押さえ板９はバネの伸縮により動くものであるが、押さえ板９を押すと糸通し管１１が押され、蛇腹部１１ａで折れ曲がり、押さえ板９が元に位置に戻ると、糸通し管１１も元に戻るものとなる。なお、生き餌収容体３の底部３ｄは、水の出入りをよくするため網状となしてある。
【００１５】
図８〜図１１は使用する際の説明図で、図８は生き餌かごに釣り糸を通す状態の説明図、図９は生き餌かごに生き餌を入れる状態の説明図、図１０は生き餌かごが投入された状態の説明図、図１１は生き餌かごの水中での状態説明図である。使用する際には、生き餌かご１に釣り糸１２を通すのである。このとき、図８に示す如く、生き餌かご１の長さより長く、釣り糸１２の入る細い糸通し用管１３を別に用意し、その糸通し用管１３を生き餌かご１の底部挿通孔４ｂから糸通し管１１に通して生き餌かご１の上部まで突き抜かせ、その糸通し用管１３に釣り糸を通して、糸通し用管１３のみ生き餌かご１から抜くと、簡単に生き餌かご１に釣り糸１２を通すことができる。
【００１６】
その他、生き餌かご１の上方の釣り糸１２に浮き１４、下方の釣り糸１２にシモリ玉１５、よりもどし１６などをつけておく。生き餌かご１の上方へ延びる釣り糸１２は釣り竿へ続き、下方へ延びる釣り糸１２の先端には釣り針１７が取付けられている。そうして、釣り針１７を生き餌１８の背に掛けて、かご体２から引き出された生き餌収容体３に生き餌１８を収容して、かご体２に収める（図９参照）。
【００１７】
このとき、釣り糸１２は生き餌かご１に固定されておらず、釣り糸は下方向へは糸がある限り引くことはできるが、上方向へ糸を引くとシモリ玉１５及びよりもどし１６が生き餌かごの底部に引っ掛かり、それ以上糸を引けない状態となる。即ち、生き餌かごを投入する際には、糸を引いて生き餌かご１がシモリ玉１５及びよりもどし１６の位置で止まった状態とし、釣り竿を振り出して生き餌かご１を水中へ投入するものとなる。
【００１８】
釣り竿を振り出した後、生き餌かご１は底部から水面に着水し（図１０参照）、生き餌収容体３の上部に設けられた発泡体７により生き餌かご１は水面に浮き、かご体２は重みにより下方へ下がり、生き餌かごが開いて生き餌１８が中から出て、自由に泳ぐことができるのである（図１１参照）。そして、釣り糸が生き餌かごに固定されていないので、生き餌１８は釣り糸を引きながら自由に泳いで、生き餌かごが生き餌の負担とならないのである。
【図面の簡単な説明】
【００１９】
【図１】本考案に係る生き餌かごの斜視図である。
【図２】図１のＡ−Ａ線断面図である。
【図３】図１のＢ−Ｂ線断面図である。
【図４】図１のＣ−Ｃ線断面図である。
【図５】生き餌収容体の正面図である。
【図６】図５の背面図である。
【図７】図５のＤ−Ｄ線断面図である。
【図８】生き餌かごに釣り糸を通す状態の説明図である。
【図９】生き餌かごに生き餌を入れる状態の説明図である。
【図１０】生き餌かごが投入された状態の説明図である。
【図１１】生き餌かごの水中での状態説明図である。
【符号の説明】
【００２０】
１    生き餌かご
２    かご体
３    生き餌収容体
４    金属片
５    転子
６    摺動穴
７    発泡体
８    上部挿通孔
９    押さえ板
１０  バネ
１１  糸通し管
１２  釣り糸
１３  糸通し用管
１４  浮き
１５  シモリ玉
１６  よりもどし
１７  釣り針
１８  生き餌
【図１】
0003130170.tif 000003
【図２】
0003130170.tif 000004
【図３】
0003130170.tif 000005
【図４】
0003130170.tif 000006
【図５】
0003130170.tif 000007
【図６】
0003130170.tif 000008
【図７】
0003130170.tif 000009
【図８】
0003130170.tif 000010
【図９】
0003130170.tif 000011
【図１０】
0003130170.tif 000012
【図１１】
0003130170.tif 000013